(57)【要約】  本開示は、あるネットワークから別のネットワークへのユーザ装置の移転に係る。その方法において、第１ネットワークと通信しているユーザ装置は、第１ネットワークから、複数のオペレータにリソースを与える第２ネットワークへ移転される。移転の開始後に、複数のオペレータの中からユーザ装置のオペレータが選択される。第２ネットワークのコントローラには、選択されたオペレータのアイデンティティに関する情報が与えられ、ユーザ装置が第２ネットワークへ移転される。選択されたオペレータのアイデンティティに関する情報もユーザ装置へ送信される。【選択図】図１
2008516500.tif 000002
【特許請求の範囲】
【請求項１】
あるネットワークから第２のネットワークへユーザ装置を移転する方法において、
第１ネットワークと通信しているユーザ装置の、第１ネットワークから第２ネットワークへの移転を開始するステップであって、前記第２ネットワークが複数のオペレータにリソースを与えるものであるステップと、
前記複数のオペレータから前記ユーザ装置のオペレータを選択するステップと、
前記選択されたオペレータのアイデンティティに関する情報を前記第２ネットワークのコントローラに与えるステップと、
前記ユーザ装置を前記第２ネットワークへ移転するステップと、
前記選択されたオペレータのアイデンティティに関する情報を前記ユーザ装置へ送信するステップと、
を備えた方法。
【請求項２】
前記選択されたオペレータのアイデンティティに関する情報を、前記ユーザ装置により、アクセスネットワークコントローラを経てコアネットワークコントローラへ送信するステップを更に備えた、請求項１に記載の方法。
【請求項３】
前記選択されたオペレータのアイデンティティに関する情報を、アクセスネットワークコントローラからコアネットワークコントローラへ送信する更に別のステップを備えた、請求項１又は２に記載の方法。
【請求項４】
前記情報を送信するステップは、前記選択されたオペレータのアイデンティティを無線リソース制御メッセージにおいて送信する段階を含む、請求項２又は３に記載の方法。
【請求項５】
選択されたオペレータのアイデンティティを無線リソース制御メッセージにおいて送信する前記段階は、選択されたオペレータのアイデンティティを“初期直接転送”メッセージにおいて送信することを含む、請求項４に記載の方法。
【請求項６】
前記選択されたオペレータのアイデンティティに関する情報をユーザ装置へ送信する前記ステップは、前記アイデンティティ情報をリソース制御情報メッセージにおいて送信する段階を含む、請求項１から５のいずれかに記載の方法。
【請求項７】
前記選択されたオペレータのアイデンティティに関する情報をリソース制御情報メッセージにおいて送信する前記段階は、前記選択されたオペレータのアイデンティティを“ＵＴＲＡＮ移動情報”メッセージにおいて送信することを含む、請求項６に記載の方法。
【請求項８】
第２のネットワークに情報を与える前記ステップは、アイデンティティ情報をコアネットワークから無線アクセスネットワークへ送信する段階を含む、請求項１から７のいずれかに記載の方法。
【請求項９】
アイデンティティ情報を送信する前記段階は、アイデンティティ情報をリロケーション要求メッセージにおいて送信することを含む、請求項８に記載の方法。
【請求項１０】
ユーザ装置のオペレータを選択する前記ステップは、コアネットワークコントローラによりオペレータを選択する段階を含む、請求項１から９のいずれかに記載の方法。
【請求項１１】
選択されたコアネットワークオペレータのアイデンティティをソース／アンカーコントローラから共有ネットワーク内のターゲット／中継コントローラへ転送するステップを更に備えた、請求項１から１０のいずれかに記載の方法。
【請求項１２】
前記決定するステップは、前記ユーザ装置にネットワーク共有をサポートする能力が設けられていることをアクセスネットワークコントローラにより検出する段階を含む、請求項１から１１のいずれかに記載の方法。
【請求項１３】
前記検出する段階は、前記転送に関連したメッセージを分析することを含む、請求項１２に記載の方法。
【請求項１４】
ユーザ装置を第２ネットワークへ移転する前記ステップは、第２世代ネットワークから第３世代ネットワークへの無線アクセス技術間ハンドオーバーを遂行することを含む、請求項１から１３のいずれかに記載の方法。
【請求項１５】
ユーザ装置を第２ネットワークへ移転する前記ステップは、非共有第３世代ネットワークから共有第３世代ネットワークへの移転を遂行することを含む、請求項１から１３のいずれかに記載の方法。
【請求項１６】
ユーザ装置を第２ネットワークへ移転する前記ステップは、共有第３世代ネットワークから別の共有第３世代ネットワークへの移転を遂行することを含む、請求項１から１３のいずれかに記載の方法。
【請求項１７】
前記第２ネットワークにおいてユーザ装置がネットワークリソースの共有をサポートするかどうか決定し、そしてユーザ装置がネットワークリソースの共有をサポートするという検出に続いて前記選択されたオペレータに関する前記情報を送信するステップを更に備えた、請求項１から１６のいずれかに記載の方法。
【請求項１８】
コンピュータ上でプログラムが実行されたときに請求項１から１３のいずれかに記載のステップを遂行するように構成されたプログラムコード手段を備えたコンピュータ読み取り可能な媒体に埋め込まれたコンピュータプログラム。
【請求項１９】
複数のオペレータにリソースを与えるように構成された通信システムのためのコアネットワークコントローラにおいて、
第１ネットワークから第２ネットワークへ移転されるべきユーザ装置のオペレータを複数のオペレータの中から選択するためのプロセッサと、
前記選択されたオペレータのアイデンティティに関する情報を、前記ユーザ装置へ送信するための第２のコントローラへ送信するインターフェイスと、
を備えたコアネットワークコントローラ。
【請求項２０】
前記選択されたオペレータのアイデンティティに関するユーザ装置からの情報を、アクセスネットワークコントローラを経て受け取るために、アクセスネットワークコントローラへのインターフェイスを更に備えた、請求項１９に記載のコアネットワークコントローラ。
【請求項２１】
移動交換センター及びサービング汎用パケット無線サービスサポートノードの少なくとも一方を更に備えた、請求項１９又は２０に記載のコアネットワークコントローラ。
【請求項２２】
複数のオペレータにリソースを与えるように構成された通信システムのためのアクセスネットワークコントローラにおいて、
ユーザ装置により使用されるべきオペレータのアイデンティティに関する情報を第２のコントローラから受信して、その情報をユーザ装置へ送信するための少なくとも１つのインターフェイスと、
ユーザ装置に共有ネットワーク能力が設けられているかどうか決定し、ユーザ装置へ送信されるべきアイデンティティ情報を制御するためのプロセッサと、
を備えたアクセスネットワークコントローラ。
【請求項２３】
前記選択されたオペレータのアイデンティティに関するユーザ装置からの情報をコアネットワークコントローラへ通すように構成された、請求項２２に記載のアクセスネットワークコントローラ。
【請求項２４】
第３世代通信システムの無線ネットワークコントローラを備えた、請求項２２又は２３に記載のアクセスネットワークコントローラ。
【請求項２５】
複数のオペレータにリソースを与えるネットワークと通信するためのユーザ装置において、
通信ネットワークとワイヤレス通信するための無線部分と、
第１ネットワークとの通信から、第２ネットワークとの通信へのユーザ装置の移転を処理するための少なくとも１つのコントローラと、
を備え、前記少なくとも１つのコントローラは、複数のオペレータから選択されたオペレータのアイデンティティに関する情報を処理するように構成され、その情報は、前記第２ネットワークへの移転を開始した後に前記無線部分を経て受信される、ユーザ装置。
【請求項２６】
複数の通信ネットワークであって、その少なくとも１つが複数のオペレータにリソースを与えるような通信ネットワークと、
複数のオペレータの中からユーザ装置のオペレータを選択するための第１コントローラであって、その選択されたオペレータのアイデンティティに関する情報を第２コントローラへ送信するための第１コントローラと、
を備え、前記第２コントローラは、ユーザ装置がネットワークリソースの共有をサポートするかどうか決定し、そしてユーザ装置がリソースの共有をサポートするという決定に続いて、前記選択されたオペレータのアイデンティティに関する前記情報をユーザ装置へ送信するように構成された通信システム。
【請求項２７】
前記コントローラは、コアネットワークコントローラを含み、前記第２コントローラは、アクセスネットワークコントローラを含む、請求項２６に記載の通信システム。
【請求項２８】
前記第２コントローラは、前記選択されたオペレータのアイデンティティに関する情報を前記第１コントローラへ転送するように構成される、請求項２６又は２７に記載の通信システム。
【発明の詳細な説明】
【技術分野】
【０００１】
本発明は、通信システムに係り、より詳細には、通信システムにおいて、あるネットワークから、共有できるネットワークリソースを与える別のネットワークへユーザ装置を移転(transfer)することに係るが、これに限定されない。
【背景技術】
【０００２】
通信システムは、通信システムに関連したユーザ装置及び／又は他のノードのような２つ以上のエンティティ間で通信セッションを行えるようにするファシリティとみなすことができる。通信は、例えば、音声、データ、マルチメディア等の通信を含むことができる。通信システムに接続されたユーザ装置には、例えば、両方向電話コール又は多方向会議コール、或いはデータ接続を与えることができる。ユーザ装置は、パケットデータをサーバーエンティティへ及びサーバーエンティティから、或いは２つ以上のユーザ装置間で通信することができる。
【０００３】
通信システムは、通常、システムに関連した種々のエンティティが何を行なうことが許され、又、どのようにそれを達成できるか規定する所与の規格又は仕様書に基づいて動作する。例えば、規格又は仕様書は、ユーザ装置に回路交換サービスが提供されるかパケット交換サービスが提供されるか又はその両方が提供されるか定義することができる。又、接続に使用されるべき通信プロトコル及び／又はパラメータも、通常、定義される。例えば、ユーザ装置が通信システムにどのようにアクセスできるか、及びユーザ装置と通信ネットワークの要素との間でどのように通信を実施すべきかについては、通常、規定の通信プロトコルに基づく。換言すれば、通信の基礎となるべき「ルール」の特定セットは、ユーザ装置が通信装置を経て通信できるように定義する必要がある。
【０００４】
ユーザ装置のためのワイヤレス通信を与える通信システムが知られている。これらのシステムは、一般に、移動システムと称されるが、あるシステムにおいては、移動が実質的に小さなエリアに限定される。移動システムの一例は、公衆地上移動ネットワーク（ＰＬＭＮ）である。ＰＬＭＮは、一般に、セルラーアーキテクチャーをベースとしている。別の例は、少なくとも一部分は通信衛星の使用をベースとする移動システムである。又、ワイヤレスローカルエリアネットワーク（ＷＬＡＮ）のような他の移動システムによって移動通信を与えることもできる。
【０００５】
普通のワイヤレスシステムでは、ベースステーションが複数のユーザ装置のサーバーとなる。又、ユーザ装置は、同時に２つ以上のベースステーションとワイヤレス通信することもできる。ユーザ装置とベースステーションとの間のワイヤレスインターフェイスにおける通信は、適当な通信プロトコルをベースとすることができる。ベースステーションは、移動ステーションが、コアネットワーク（ＣＮ）と称される通信ネットワークのコア部分にアクセスできるようにするアクセスネットワーク（ＡＮ）の一部分であると理解される。
【０００６】
当業者は、ワイヤレスアクセスに必要な基本的な動作原理及び要素を知っている。これらは、例えば、ＣＤＭＡ（コード分割多重アクセス）、ＷＣＤＭＡ（ワイドバンドＣＤＭＡ）、ＴＤＭＡ（時分割多重アクセス）、ＦＤＭＡ（周波数分割多重アクセス）又はＳＤＭＡ（空間分割多重アクセス）、及びその混成のようなアクセスシステムを含む。
【０００７】
各ベースステーション及び／又はアクセスネットワークは、適当な制御構成体により制御される。アクセスネットワークのベースステーション及び他の装置のオペレーションは、１つ又は多数の制御エンティティにより制御することができる。２つ以上のベースステーションを１つのコントローラで制御することができる。例えば、第三世代（３Ｇ）ワイドバンドコード分割多重アクセス（ＷＣＤＭＡ）ネットワークは、無線ネットワークコントローラ（ＲＮＣ）として知られた制御エンティティを使用して、ワイヤレスアクセスネットワークのオペレーションを制御する。第２世代（２Ｇ）ＧＳＭ（移動用のグローバルシステム）では、アクセスネットワークは、ベースステーションコントローラ（ＢＳＣ）により制御されると理解される。無線ネットワークコントローラは、アクセスネットワークの多数のステーション又は全てのステーションを制御することができる。
【０００８】
アクセスネットワークコントローラは、適当なコアネットワークエンティティに接続される。コアネットワークを他のネットワークに接続するために１つ以上のゲートウェイノードを設けることもできる。例えば、移動コアネットワークを、他の移動又は固定ライン通信ネットワーク、又はＩＰ（インターネットプロトコル）及び／又は他のパケットデータネットワークのような通信ネットワークに接続することができる。
【０００９】
通信ネットワークは、通常、ネットワークオペレータにより動作及び操作される。ネットワークオペレータのオペレーション環境が変化し、より動的な性質になりつつある。例えば、オペレータ間での提携、取得、創造的合意、等は、オペレータがそれらのネットワークのリソースを使用する仕方を再考するように強制するものである。このような変化は、ネットワークリソースを共有する可能性について心を開かせた。しかしながら、より動的なオペレーション及びリソースの共有が実現できる前に、とりわけ、ネットワークの技術的観点が標準化されていないために、幾つかの技術的な障害がある。
【００１０】
「ネットワーク共有(network sharing)」の概念は、広く解釈されるべきもので、種々のシナリオ、例えば、多数のコアネットワークに接続された共通の無線アクセスネットワーク、１つのコアネットワークを共有する多数の無線アクセスネットワーク、又は多数のコアネットワークに接続された多数の無線アクセスネットワーク、を含むが、これらに限定されない。
【００１１】
従来のテレコミュニケーションサービスプロバイダーは、それらのネットワークを動作し所有している。ネットワークの所有者以外の当事者によるネットワークの使用が、ローミング合意等により可能になった。例えば、ＧＳＭ、次いで、ＵＭＴＳシステムが指定されたときには、２つ以上の別々の商業的エンティティによりネットワークの全体又はその一部分を共有する可能性は、全く考えられなかった。ＧＳＭは、「１人のオペレータ、１つの無線アクセスネットワーク」という原理のもとで設計されたものである。ＧＳＭネットワークは、共有するインフラストラクチャーの可能性をある程度有するが、無線アクセスネットワークレベルではリソースの供給を適切にサポートしない。第三世代パートナーシッププロジェクト（３ＧＰＰ）システムの初期の設計は、同じ原理に従っていた。その結果、これらの規格は、このような商業的合意の実現、及びリソースのより効率的な使用を可能にする機能に欠けている。
【００１２】
ネットワーク共有の提案は、ゲートウェイコアネットワーク（ＧＷＣＮ）及び多オペレータコアネットワーク（ＭＯＣＮ）のようなシナリオを含む。ＧＷＣＮシナリオは、レガシー共有ネットワークに意図されたもので、共有ネットワークアーキテクチャーに対してゲートウェイコアネットワークをどのように展開できるか定義し、この場合、無線アクセスネットワークに加えて、移動交換センター（ＭＳＣ）及びサービングＧＰＲＳ（汎用パケット無線サービス）サポートノード（ＳＧＳＮ）も共有される。又、ＧＷＣＮシナリオは、古いネットワークの機能でシナリオをどのように展開するかも示す。又、これは、無線アクセスネットワークのオペレータが、コアネットワークオペレータの１人であってもなくてもよいようにする。
【００１３】
ＧＷＣＮシナリオに対する１つの最近の改良は、ユーザ装置によりネットワークを選択する可能性である。このシナリオでは、ユーザ装置は、共有ネットワークにおいてサービスを提供するオペレータに気付くことができる。このシナリオに使用するためのサポートユーザ装置は、共有ネットワークにより与えられる利用可能なオペレータに関する情報を理解し、利用可能なオペレータの１人を選択し、そしてその選択されたオペレータをネットワークに指示することのできる任意の装置でよい。
【００１４】
共有ネットワークをサポートするユーザ装置は、かなり最近の提案である。それ故、近い将来は、多数の非サポートユーザ装置が使用されるであろう。ネットワーク共有をサポートしないユーザ装置が、あるアクセスネットワークから、別のネットワークへ移転されるときには、そのターゲットの共有アクセスネットワークのコントローラは、そのようなユーザ装置により理解される共通に使用されるオペレータアイデンティティを含まねばならない。例えば、３Ｇ規格をベースとするようなあるシステムでは、無線アクセスネットワークは、ユーザ装置があるアクセスネットワークから別のネットワークへ移転されるときに、グローバルに独特の位置情報をユーザ装置へ与える。従って、位置情報は、ＰＬＭＮアイデンティティを位置情報の一部分として含む。ネットワークリソースの共有を使用する通信システムでは、どのＰＬＭＮアイデンティティがユーザ装置に与えられるかが問題である。というのは、多数のオペレータが同じ物理的ネットワークにサービスを提供するために、多数の選択肢があるからである。非サポートユーザ装置については、ＰＬＭＮアイデンティティが、無線アクセスネットワークのアイデンティティ（共通−ＰＬＭＮ−ＩＤ）でなければならず、任意の考えられるオペレータのアイデンティティであってはならないことが提案されている。
【００１５】
しかしながら、アクセスネットワークのコントローラは、ユーザ装置がネットワークリソースの共有をサポートできるように構成されているかどうか必ずしも知らない。従って、コントローラは、考えられるサービングネットワークのアイデンティティに関する情報をどのユーザ装置に含ませるべきか知らないことがある。
【００１６】
これに加えて、ユーザ装置を、非共有ネットワークから、ＧＷＣＮ構成をもつ共有ネットワークへハンドオーバー又はリロケーションするときには、ターゲットの共有アクセスネットワークのコントローラは、ネットワークのＰＬＭＮのどの１つがユーザ装置にサービスすべきか必ずしも知らないことがある。
【００１７】
問題は、非共有ネットワークから共有ネットワークへの移転に制限されないことが明らかであろう。共有ネットワーク内で同様の問題が生じることがある。
【００１８】
ユーザ装置は、例えば、ハンドオーバー又はリロケーションにおいて、あるアクセスシステムから別のアクセスシステムへ移転することができる。ネットワーク共有をサポートするユーザ装置が、進行中の回路交換接続のためにユーザ装置にサービスしているものではなく、パケット交換ドメインのための異なるコアネットワークオペレータに登録することが技術的に可能である。これは、常に望まれるものではない。
【００１９】
ユーザ装置は、ハンドオーバーの後にＲＲＣ接続され、従って、ネットワークコントローラにアクセスするために“INTIAL DIRECT TRANSFER（初期直接転送）”メッセージのようなメッセージにコアネットワークアイデンティティを含ませなくてもよい。というのは、アクセスネットワークは、選択されたＰＬＭＮのアイデンティティが何かを既に知っているからである。しかしながら、アクセスネットワークコントローラは、この場合に、ユーザ装置に対して選択されたＰＬＭＮを知る必要がある。というのは、それをユーザ装置へ指示する必要があると共に、それを記憶して、ＧＷＣＮの場合に、ＮＡＳ−ＲＡＵがRANAP: INTIAL UE MESSAGEを介して送信されるべきときに（ユーザ装置がＲＲＣ接続されるためにアイデンティティを含まないRRC: INTIAL DIRECT TRANSFERメッセージをユーザ装置から受信した後に）、アクセスネットワークコントローラが共有ＳＧＳＮにアイデンティティを指示できることも必要だからである。更に、非共有ネットワーク又は別の共有アクセスコントローラからの回路交換ハンドオーバーの後に、アクセスネットワークコントローラは、ユーザ装置がパケット交換ドメインにおいて登録されるのを許すために、現在の選択されたＰＬＭＮをユーザ装置に指示するコアネットワーク情報ｉｎｆｏを含むRRC: UTRAN MOBILITY INFORMATIONをユーザ装置へ送信することが命令される。サポートユーザ装置は、正しいＰＬＭＮアイデンティティを得る必要がある。というのは、それを、後で、回路交換コールが発せられそしてユーザ装置がアイドル状態に戻るときに、使用する必要があるからである。この場合に、ユーザ装置は、バックグランド走査を実行して、その現在選択されたＰＬＭＮが正しい高プライオリティのＰＬＭＮであるかどうかチェックすることができる。もしそうでなければ、ユーザ装置は、別のルーティングエリア更新（ＲＡＵ）を実行してもよい。アクセスネットワークコントローラが、UTRAN MOBILITY INFORMATIONのコアネットワーク情報ｉｎｆｏにおいて、選択されたＣＮ−ＰＬＭＮ−ＩＤではなく、共通のＰＬＭＮ−ＩＤをユーザ装置に送信する場合には、ユーザ装置は、ほとんど常に、回路交換コールが発せられた後にＲＡＵを実行し、シグナリングの著しい増加を招くことになる。
【発明の開示】
【発明が解決しようとする課題】
【００２０】
それ故、少なくとも１つの共有ネットワークを含む通信システムにおいてユーザ装置のハンドオーバー又は他のリロケーションを取り扱うための改良された解決策が要望される。
【課題を解決するための手段】
【００２１】
本発明の実施形態は、上述した問題の１つ又は多数に対処することに向けられる。
【００２２】
一実施形態によれば、あるネットワークから第２のネットワークへユーザ装置を移転するための方法が提供される。この方法は、第１ネットワークと通信しているユーザ装置の、第１ネットワークから第２ネットワークへの移転を開始するステップであって、該第２ネットワークが複数のオペレータにリソースを与えるものであるステップと、複数のオペレータからユーザ装置のオペレータを選択するステップと、その選択されたオペレータのアイデンティティに関する情報を第２ネットワークに与えるステップと、ユーザ装置を第２ネットワークへ移転するステップと、選択されたオペレータのアイデンティティに関する情報をユーザ装置へ送信するステップと、を備えている。
【００２３】
別の実施形態によれば、複数のオペレータにリソースを与えるように構成された通信システムのためのコアネットワークコントローラが提供される。このコントローラは、第１ネットワークから第２ネットワークへ移転されるべきユーザ装置のオペレータを複数のオペレータの中から選択するためのプロセッサと、その選択されたオペレータのアイデンティティに関する情報を、ユーザ装置へ送信するために更に別のコントローラへ送信するインターフェイスと、を備えている。
【００２４】
別の実施形態によれば、複数のオペレータにリソースを与えるように構成された通信システムのためのアクセスネットワークコントローラが提供される。このコントローラは、ユーザ装置により使用されるべきオペレータのアイデンティティに関する情報を更に別のコントローラから受信して、その情報をユーザ装置へ送信するための少なくとも１つのインターフェイスと、ユーザ装置に共有ネットワーク能力が設けられているかどうか決定し、ユーザ装置へ送信されるべきアイデンティティ情報を制御するためのプロセッサと、を備えている。
【００２５】
別の実施形態によれば、複数のオペレータへリソースを与えるネットワークと通信するためのユーザ装置が提供される。このユーザ装置は、通信ネットワークとワイヤレス通信するための無線部分と、第１ネットワークとの通信から、第２ネットワークとの通信へのユーザ装置の移転を処理するための少なくとも１つのコントローラとを備えている。この少なくとも１つのコントローラは、複数のオペレータから選択されたオペレータのアイデンティティに関する情報を処理するように構成され、その情報は、第２ネットワークへの移転を開始した後に無線部分を経て受信される。
【００２６】
更に別の実施形態によれば、複数の通信ネットワークであって、その少なくとも１つが複数のオペレータへリソースを与えるような通信ネットワークと、複数のオペレータの中からユーザ装置のオペレータを選択し、そしてその選択されたオペレータのアイデンティティに関する情報を更に別のコントローラへ送信するためのコントローラとを備えた通信システムが提供される。前記更に別のコントローラは、ユーザ装置がリソース共有をサポートするかどうか決定し、そしてユーザ装置がネットワークリソースの共有をサポートするという決定に続いて、前記選択されたオペレータのアイデンティティに関する情報をユーザ装置へ送信するように構成される。
【００２７】
本発明の実施形態は、共有ネットワークのリソースをより効率的に使用できるという点で効果を与えることができる。ユーザ装置は、進行中の回路交換（ＣＳ）コールをもちながら共有ネットワークへ移動するときに間違ったネットワークへのパケット交換（ＰＳ）登録を遂行することが防止できると共に、ネットワークにおけるシグナリング負荷を増加することになるより高いプライオリティのネットワークへのその後の登録を遂行することも防止できる。ユーザ装置をサポートするネットワーク共有に対して一貫した移動の取り扱いが可能となる。
【００２８】
本発明を良く理解するために、添付図面を参照して、本発明を一例として詳細に説明する。
【発明を実施するための最良の形態】
【００２９】
ここに図示して詳細に説明する例示的通信システムは、第２世代及び第３世代（３Ｇ）ＷＣＤＭＡ（ワイドバンドコード分割多重アクセス）ネットワーク、例えば、ＧＳＭ、ＵＭＴＳ（ユニバーサル移動テレコミュニケーションシステム）又はＣＤＭＡ２０００公衆地上移動ネットワーク（ＰＬＭＮ）の用語を使用するが、ここに提案する解決策の実施形態は、ユーザ装置のリロケーションにおける同様の問題を本発明の実施形態により解消できるいかなるワイヤレス通信システムにも使用できることに注意されたい。
【００３０】
公衆地上線移動ネットワーク（ＰＬＭＮ）のような移動通信ネットワークでは、多数のベースステーションが、複数の移動ユーザ装置１へ信号をワイヤレスに送信し及びそこから信号を受信するように構成される。ベースステーションは、明瞭化のために、図１には示されていない。同様に、移動ユーザ装置１の各々は、ワイヤレス信号を適当なベースステーションへ送信し及びそこから信号を受信することができる。典型的に、移動ユーザ装置は、１つ以上のベースステーションにより与えられるアクセスネットワーク内を移動できると共に、１つのアクセスネットワークカバレージエリアから別のカバレージエリアへも移動することができる。従って、移動ステーションの位置は、移動ユーザ装置が移動通信システム内を自由に移動するときに時間的に変化し得る。移動通信システムは、複数の移動通信ネットワークにより形成されてもよい。適当なユーザ装置には、必要な無線送信要素及びコントローラ機能が設けられて、データをネットワークへ送信し且つネットワークから受信することができ、又、ネットワークから受け取られる制御命令を処理し、そして必要な制御情報をネットワークへ送信することができる。
【００３１】
又、図１は、アクセスネットワーク５も示し、ここには、３つのアクセスネットワークコントローラ、より詳細には、３つの無線ネットワークコントローラ（ＲＮＣ）２、３及び４が設けられる。ベースステーションの各々は、アクセスネットワークコントローラへ共通に接続される。アクセスネットワークコントローラは、アクセスネットワークの要素、例えば、ベースステーションに共通に制御を与える。アクセスネットワークコントローラは、適当な相互接続部を経て、他のネットワーク要素、例えば、適当なコアネットワーク（ＣＮ）コントローラエンティティに共通に接続される。これらコアネットワークコントローラエンティティは、例えば、移動交換センター（ＭＳＣ）及び／又はサービングＧＰＲＳ（汎用パケット無線サービス）サポートノード（ＳＧＳＮ）６、７及び８、ゲートウェイノード（図１には示さず）、等々を備えてもよい。
【００３２】
図２のフローチャートについて、以下に説明する。ユーザ装置は、例えば、ハンドオーバー又はリロケーションのような手順により、あるネットワークから別のネットワークへ移転することができる。移転は、ステップ１００において、移転をトリガーする所定の事象に応答して開始される。移転は、第１形式のアクセスシステムから別の形式のアクセスシステムへ行われてもよい。例えば、ＧＳＭからＵＴＲＡＮ（ＵＭＴＳ地上無線アクセスネットワーク）へのインターＲＡＴ（無線アクセス技術間）ハンドオーバーが行われてもよい。
【００３３】
新たなネットワークのコアネットワークコントローラには、ユーザ装置が通知される。新たなコアネットワークが共有ネットワークである場合には、コアネットワークコントローラは、ステップ１０２において、適当なオペレータを選択することができる。次いで、ステップ１０４において、新たなコアネットワークに関連したアクセスネットワークには、選択について通知される。
【００３４】
次いで、ユーザ装置が新たなネットワークへ移転される。この段階において、アクセスネットワークコントローラは、適当な情報メッセージ、例えば、“UTRAN MOBILITY INFORMATION（UTRAN移動情報）”メッセージをユーザ装置へ送信することができる。この情報メッセージは、ハンドオーバーが完了したという確認、例えば、“HANDOVER TO UTRAN COMPLETE（UTRANへのハンドオーバーが完了）”メッセージをアクセスネットワークコントローラがユーザ装置から受信した後に、第１のリソース制御メッセージの１つとして送信されてもよい。この情報メッセージは、ユーザ装置がシグナリング接続を有するところのＰＬＭＮのアイデンティティも含めて、ユーザ装置にその位置について通知するためのものである。“UTRAN MOBILITY INFORMATION”メッセージは、通常、１つのＰＬＭＮアイデンティティしか含まない。
【００３５】
図１のＲＮＣの１つのようなターゲットのアクセスネットワークコントローラは、ネットワーク共有をサポートするように構成されたユーザ装置がそれに向かって既にシグナリング接続を有しているところのコアネットワークオペレータのアイデンティティを“UTRAN MOBILITY INFORMATION”メッセージにおいて指示することができる。共有ネットワークの場合、これは、その後のメッセージ、例えば、ルーティングエリア更新（ＲＡＵ）を、ネットワーク共有をサポートするユーザ装置に対して正しいＰＬＭＮへガイドするために必要となる。
【００３６】
この実施形態は、ネットワークがどのユーザ装置の適切なアイデンティティを通知すべきか決定するためのメカニズムを与える。このような選択は、例えば、上述したＧＷＣＮの場合に必要となるが、これは、常に、必要となるのではないことが明らかである。その必要性は、例えば、多数のコアネットワークオペレータがＭＳＣ／ＳＧＳＮリソースを共有するか、又はオペレータがターゲットの共有アクセスネットワークコントローラに向かって専用接続をもたないような用途において生じることがある。それゆえ、アクセスネットワークコントローラは、選択されたオペレータのアイデンティティについて通知される必要がある。これは、例えば、共有されるＭＳＣからの“RELOCATION REQUEST（リロケーション要求）”メッセージにおいて与えることができる。
【００３７】
しかしながら、共有されるコアネットワーク要素、例えば、ＭＳＣは、ユーザ装置が、サポートするユーザ装置であるかどうか常に知らなくてよい。ネットワーク要素は、それでも、ＣＮ−ＰＬＭＮ−ＩＤを“RELOCATION REQUEST”メッセージにおいてターゲットの共有アクセスネットワークコントローラへ送信することができる。これは、次いで、アクセスネットワークコントローラまで進み、ステップ１０８において、ユーザ装置にアイデンティティを通知する必要があるかどうか決定する。
【００３８】
選択されたオペレータのアイデンティティは、ステップ１１０において、サポートするユーザ装置へ送信される。アクセスネットワークにおいて、ユーザ装置がネットワークリソース共有をサポートしないことが検出された場合には、アクセスネットワークコントローラは、共通−ＰＬＭＮ−ＩＤ、即ち共有無線アクセスネットワークのＰＬＭＮ−ＩＤを送信することができる（ステップ１１２を参照）。これは、非サポートのユーザ装置が依然検出し理解することのできるアイデンティティの一例である。
【００３９】
アクセスネットワークコントローラは、ユーザ装置がネットワーク共有をサポートするかどうか決定できるように構成されてもよい。この情報は、例えば、３Ｇシステムでは、“RRC CONNECTION REQUEST（ＲＲＣ接続要求）”メッセージ及び／又は“INTER RAT HANDOVER INFO（インターＲＡＴハンドオーバー情報）”メッセージに含まれたアクセス層（ＡＳ）リリース指示から導出することができる。“INTER RAT HANDOVER INFO”は、ハンドオーバーが行なわれる前にユーザ装置がネットワークへ送信することのできるメッセージの一例である。このメッセージは、次いで、ネットワークにより、ターゲットであるアクセスネットワークコントローラへ配送される。“INTER RAT HANDOVER INFO”は、特定の３ＧＰＰリリースのアクセス層仕様と共にユーザ装置の準拠性を指定する情報エレメントを含む。従って、２Ｇ−３Ｇハンドオーバーの場合には、ターゲットのアクセスネットワークコントローラは、ユーザ装置が「非サポートのユーザ装置」であるか又は「サポートするユーザ装置」であるかをこの知識から得ることができる。３Ｇ−３Ｇのハンドオーバーの場合には、ソースのアクセスネットワークコントローラは、ユーザ装置の能力に関する情報を“RRC CONNECTION REQUEST”メッセージから得ることができる。受け取った能力情報は、ソースのアクセスネットワークコントローラにより、ハンドオーバーシグナリングにおいて、ターゲットのアクセスネットワークコントローラへ送信される。
【００４０】
以下に例示するシナリオは、２Ｇ非共有ネットワークから３Ｇ共有ネットワークへのインターＲＡＴハンドオーバー、非共有３Ｇネットワークから共有３ＧネットワークへのイントラＵＭＴＳリロケーション／ハンドオーバー、及び共有３Ｇネットワークから別の共有３Ｇネットワークへのリロケーション／ハンドオーバーに関連している。
【００４１】
以下に述べる実施例において、オペレータアイデンティティ情報は、“RELOCATION REQUEST”メッセージを１つの付加的な情報エレメント（ＩＥ）で拡張することにより転送される。この情報エレメントは、非共有ネットワークから、ＧＷＣＮ構成をもつ共有ＵＭＴＳネットワークへユーザ装置をハンドオーバーするか又はユーザ装置をリロケーションするときにＣＮ−ＰＬＭＮ−ＩＤのようなコアネットワークアイデンティティを保持するのに使用できる。
【００４２】
図３は、２Ｇ非共有ネットワークから３Ｇ共有ネットワークへのハンドオーバーシナリオを示し、より詳細には、専用のＧＳＭネットワークからの回路交換コールを、ＧＷＣＮ構成が設けられた共有ＵＭＴＳネットワークへどのようにハンドオーバーするかを示している。この同じ解決策を、他のハンドオーバー、例えば、図４に示す３Ｇ−３Ｇハンドオーバーにも適用できることに注意されたい。より詳細には、図３は、次のメッセージ及び段階を示す。
１．ＧＳＭベースステーションコントローラ（ＢＳＣ）２は、別のネットワークへのハンドオーバーを実行すべきであることを判断し、そして“BSSMAP Handover Required（BSSMAPハンドオーバー要求）”メッセージをアンカーＭＳＣ６へ送信する。
２．アンカーＭＳＣ６は、ユーザ装置のアイデンティティ（例えば、インターナショナルモバイルサブスクライバーアイデンティティ；ＩＭＳＩ）を含む“BSSMAP Handover Request（BSSMAPハンドオーバー要求）”メッセージをターゲットＭＳＣ７へ送信する。
３．ターゲット（ゲートウェイ）ＭＳＣ７は、ゲートウェイコアネットワーク（ＧＷＣＮ）を共有する利用可能なＣＮオペレータからコアネットワーク（ＣＮ）オペレータを選択し、そして“RANAP Relocation Request（RANAPリロケーション要求）”メッセージをＲＮＣ３へ送信する。このメッセージは、選択されたＣＮオペレータのアイデンティティ（ＣＮ−ＰＬＭＮ−ＩＤ）を含む。
４．無線リソースが割り当てられた後に、ターゲットＲＮＣ３は、“RANAP Relocation Request Ack（RANAPリロケーション要求確認）”メッセージをターゲットＭＳＣ７へ送信する。
５．ターゲットＭＳＣ７は、“BSSMAP Handover Request Ack”メッセージをアンカーＭＳＣ６へ送信する。
６．アンカーＭＳＣ６は、“BSSMAP Handover Command（ハンドオーバーコマンド）”メッセージをソースＢＳＣ２へ送信する。ＢＳＣ２は、ターゲットセルへのハンドオーバーを遂行するようにユーザ装置１に指令する。
７．ユーザ装置１がターゲットセルにアクセスするときに、ＲＮＣ３は、“RANAP Relocation Detect（RANAPリロケーション検出）”メッセージをターゲットＭＳＣ７へ送信することにより、選択されたコアネットワークにこれについて通知する。ハンドオーバーが首尾良く行われた後に、ＲＮＣ３は、“RANAP Relocation Complete（RANAPリロケーション完了）”メッセージをターゲットＭＳＣ７へ送信する。
８．ターゲットＭＳＣ７は、“RANAP Relocation Detect”及び“Relocation Complete”メッセージを、“BSSMAP Handover Detect”及び“Handover Complete”メッセージとしてアンカーＭＳＣ６へ転送する。
９．新たなＲＮＣ３は、“RRC UTRAN Mobility Information（RRC UTRAN移動情報）”メッセージを送信することによりユーザ装置１にその位置について通知する。他の考えられる情報の中でも、このメッセージは、ネットワーク共有をサポートするユーザ装置に対して選択されたコアネットワークオペレータのアイデンティティ（ＣＮ−ＰＬＭＮ−ＩＤ）を含むことができる。ＲＮＣ３は、“RRC CONNECTION REQUEST”メッセージ及び“INTER RAT HANDOVER INFO”メッセージに含まれたＡＳリリース指示からユーザ装置１（サポート／非サポート）の能力に関する知識を得る。ユーザ装置１が、サポートユーザ装置でない場合には、メッセージ９は、共通−ＰＬＭＮ−ＩＤを含んでもよいし、或いは非サポートのユーザ装置が検出し理解できる共有無線アクセスネットワークの他の指示を含んでもよい。
１０．次いで、ユーザ装置は、必要に応じて、例えば、“RRC Initial Direct Transfer（RRC初期直接転送）”メッセージの中で“Routing Area Update（ルーティングエリア更新）”メッセージを、ＲＮＣ３を経てＳＧＳＮ７へ透過的に送信することにより、パケット交換サービスのための登録を行うことができる。ユーザ装置は、ネットワークにＲＲＣ接続されているので、“RRC Initial Direct Transfer”メッセージは、ステップ９においてＲＮＣ３により与えられたＣＮ−ＰＬＭＮ−ＩＤを必ずしも含む必要はない。ＲＮＣ３は、“RELOCATION REQUEST”メッセージで受信したアイデンティティを使用して、“RANAP Initial UE Message”にそれを押し込む。この“RANAP Initial UE Message”は、ユーザ装置１からの“Routing Area Update”メッセージも含む。ＣＮ−ＰＬＭＮ−ＩＤは、考えられるオペレータの中のどのコアネットワークオペレータがユーザ装置１にサービスすべきかをＳＧＳＮ７に指示する。
【００４３】
異なるシナリオにおけるユーザ装置の異なる振舞いは、ＲＮＣではなくユーザ装置がオペレータアイデンティティを指示するような上述したメカニズムにより回避することができる。
【００４４】
図４は、回路交換コールに対するハンドオーバーが、専用のＵＭＴＳネットワークから、ＧＷＣＮ構成の共有ＵＭＴＳネットワークへと行なわれ、そしてユーザ装置がネットワーク共有をサポートする別の実施例を示す。より詳細には、図４は、次のメッセージ及び段階を示す。
１．ソースの無線ネットワークコントローラ（ＲＮＣ）２は、別のネットワークへのハンドオーバーを実行すべきであることを判断する。“RANAP Relocation Required”メッセージが別の移動交換センター（ＭＳＣ）６へ送信される。
２．アンカーＭＳＣ６は、ユーザのアイデンティティを含む“RANAP Relocation Request”メッセージをターゲットＭＳＣ７へ送信する。
３．ターゲット（ゲートウェイ）ＭＳＣ７は、ＧＷＣＮを共有するＣＮオペレータからコアネットワーク（ＣＮ）オペレータを選択し、そして“RANAP Relocation Request”メッセージを新たなＲＮＣ３へ送信する。このメッセージは、選択されたＣＮオペレータのアイデンティティを含む。
４．無線リソースが割り当てられた後に、新たなＲＮＣ３は、“RANAP Relocation Request Ack”メッセージをターゲットＭＳＣ７へ送信する。
５．ターゲットＭＳＣ７は、“RANAP Relocation Request Ack”メッセージをアンカーＭＳＣ６へ送信する。
６．アンカーＭＳＣ６は、“RANAP Relocation Command”メッセージをソースＲＮＣ２へ送信する。次いで、ＲＮＣ２は、ターゲットセルへのハンドオーバーを遂行するようにユーザ装置１に指令する。ユーザ装置１がＩｕｒインターフェイスを経てサービングＲＮＣ３と通信することによりターゲットＲＮＣ２の無線リソースを既に使用している場合には、ハンドオーバーコマンドメッセージをユーザ装置１へ送信する必要はない。
７．ユーザ装置１がターゲットセルにアクセスするときに、ＲＮＣ３は、“RANAP Relocation Detect”メッセージをターゲットＭＳＣ７へ送信することによりコアネットワーク（ＣＮ）にこのことを通知する。ハンドオーバーが首尾良く実行されると、ＲＮＣ３は、“RANAP Relocation Complete”メッセージをターゲットＭＳＣ７へ送信する。ユーザ装置１がＩｕｒインターフェイスを経てＲＮＣ３と通信することによりターゲットＲＮＣ３の無線リソースを既に使用している場合には、ターゲットＲＮＣ３がサービングＲＮＣとして働き始めたときに“Relocation Detect”メッセージが送信される。
８．ターゲットＭＳＣ７は、“RANAP Relocation Detect”及び“Relocation Complete”メッセージをアンカーＭＳＣ６へ転送する。
９．ＲＮＣ３は、“RRC UTRAN Mobility Information”メッセージを送信することによりユーザ装置１にその位置について通知する。このメッセージは、ユーザ装置がネットワーク共有をサポートする場合に、選択されたＣＮオペレータのアイデンティティ（ＣＮ−ＰＬＭＮ−ＩＤ）を含むことができる。
１０．次いで、ユーザ装置は、必要に応じて、例えば、“RRC Initial Direct Transfer”メッセージの中で“Routing Area Update”メッセージを、ＲＮＣ３を経てＳＧＳＮ７へ透過的に送信することにより、パケット交換サービスのための登録を行うことができる。ユーザ装置は、ネットワークにＲＲＣ接続されているので、“RRC Initial Direct Transfer”メッセージは、ステップ９においてＲＮＣ３により与えられたＣＮ−ＰＬＭＮ−ＩＤを含む必要がない。ＲＮＣは、“RELOCATION REQUEST”で受信したアイデンティティを使用して、“RANAP Initial UE Message”にそれを押し込むことができる。この“RANAP Initial UE Message”は、ユーザ装置１からの“Routing Area Update”メッセージも含む。ＣＮ−ＰＬＭＮ−ＩＤは、考えられるオペレータの中のどのコアネットワークオペレータがユーザ装置１にサービスすべきかをＳＧＳＮ７に指示する。
【００４５】
図５は、ＬＡボーダーを越えて共有３Ｇネットワークから別の共有３Ｇネットワークへのハンドオーバーが生じる更に別の実施例を示す。
【００４６】
ハンドオーバー中に中継ＭＳＣ又はターゲットＭＳＣとして働くＭＳＣ７には、適当なアルゴリズムを実施して適当なオペレータを選択するための適当なデータプロセッサを設けることができる。選択は、種々の考えられるアルゴリズム及びパラメータに基づくものでよい。例えば、ユーザのアイデンティティ（例えば、インターナショナルモバイルサブスクライバーアイデンティティ；ＩＭＳＩ）を１つの選択基準として使用することができる。幾つかの例示的シナリオを以下に示す。
【００４７】
オペレータＡ及びオペレータＢがネットワークを共有する。共有ネットワークへのハンドオーバーがＢ又はその提携加入者に対して行なわれる場合には、Ｂが共有ネットワークにおけるユーザに対してサービングオペレータになるのが好ましい。又、選択は、統計学的及び／又は経歴的データに基づいてもよい。共有オペレータは、例えば、Ａが共有ネットワークにおける国際ローミング者の６０％を得そしてＢがその４０％を得るように合意してもよい。この場合に、コアネットワークコントローラは、加入者をそれらのオペレータに適宜に指定するアルゴリズムを実施しなければならず、そして選択されたオペレータのアイデンティティがユーザ装置に適宜に指示される。考えられる選択基準は、ハンドオーバーを遂行するところのネットワークアイデンティティでよい。例えば、ハンドオーバーが、Ａの専用ネットワークから、Ａが共有相手の１人である共有ネットワークへと実行される場合には、この特定のシナリオにおいてＡがサービングオペレータとして選択されるのが好ましい。
【００４８】
オペレータは、移転の開始後に選択されるのが好ましい。この選択は、ターゲットＭＳＣがハンドオーバー又はリロケーションの要求を受け取った後であって且つターゲットＭＳＣがターゲットＲＮＣへの移転の要求を送信する前に、ターゲットＭＳＣ（中継）により実行することができる。選択は、ターゲットＭＳＣにおいて予め構成された情報に少なくとも一部分基づくものでもよい。この予め構成された情報は、例えば、ホームＰＬＭＮアイデンティティ“Ｘ、Ｙ、Ｚ”をもつユーザに共有ネットワークのオペレータ“Ａ”が指定され、ホームＰＬＭＮアイデンティティ“Ｉ、Ｊ、Ｋ、Ｌ”をもつユーザに共有ネットワークのオペレータ“Ｂ”が指定され、そしてホームＰＬＭＮアイデンティティ“Ｐ、Ｑ、Ｒ”をもつユーザに共有ネットワークのオペレータ“Ｃ”が指定されるものでよいが、これに限定されない。次いで、他のホームＰＬＭＮアイデンティティをもつユーザには、例えば、統計学的な分布に基づいて共有ネットワークのオペレータ“Ａ”、“Ｂ”又は“Ｃ”が指定されてもよい。
【００４９】
ターゲットのコアネットワークコントローラによる選択は、好ましいオプションである。というのは、該当する全ての個々のオペレータ間に合意がないかもしれないからである。共有ネットワークの個々のオペレータは、非共有ネットワークのオペレータとローミング合意をもたなくてもよい。「古い」コアネットワークコントローラは、共有ネットワークの一部分ではなく、それ故、共有ネットワークの観点によりオペレーションが全く影響されないのが好ましい。
【００５０】
上述した実施例では、ＭＳＣ７は、ＲＮＣへ送信される“RANAP Relocation Request”メッセージにおいて、選択されたコアネットワークオペレータのアイデンティティを指示する。従って、この機能は、あるＭＳＣ、例えば、３ＧＰＰのリリース６（ｒｅｌ−６）に基づき共有ＧＷＣＮに適合するものについては、必須である。
【００５１】
又、共有ネットワークにおけるアクセスネットワークコントローラには、ユーザ装置がサポート装置であるかどうか検出するための適当なアルゴリズムも設けられる。これは、例えば、“RRC CONNECTION REQUEST”メッセージ及び／又は“INTER RAT HANDOVER INFO”メッセージ及び／又は“RRC CONNECTION SETUP COMPLETE（RRC接続設定完了）”に含まれたアクセス層（ＡＳ）リリース指示のようなメッセージからイネーブル情報を検出するように構成された適当なソフトウェアにより設けられてもよい。
【００５２】
ユーザ装置がソフトウェア又は別のロジックによりサポートユーザ装置であると決定された場合には、ソフトウェアは、選択されたコアネットワークオペレータのアイデンティティを“RRC UTRAN Mobility Information”メッセージのようなメッセージに含むことができる。
【００５３】
共有ネットワーク内のインターＭＳＣハンドオーバーの場合には、アンカーの共有ＭＳＣは、Ｅ−ＭＡＰインターフェイスを越えてＣＮ−ＰＬＭＮ−ＩＤを送信する必要が生じ得ることに注意されたい。
【００５４】
前記説明では、ＣＮ−ＰＬＭＮ−ＩＤが考えられるアイデンティティの一例として使用された。又、他のものもあり、例えば、送信側コアネットワークノードがデフォールトコアネットワークノードでないところのアクセスネットワークコントローラに向かってコアネットワークノードから“RELOCATION REQUEST”メッセージが送信されるときに３ＧＰＰリリース５及びそれ以降のリリースのＩｕ−ｆｌｅｘ／ＮＮＳＦファンクションに対して使用されるグローバルなＣＮ−ＩＤ  ＩＥもある。
【００５５】
上述した実施例では、選択されたアイデンティティがユーザ装置ＵＥへ送信される前にアクセスシステムから別のシステムへの移転が発生する。これは、全ての用途で必要とされるのではない。この別の態様では、ターゲットのアクセスネットワークコントローラは、選択されたオペレータアイデンティティを、例えば、ターゲットのコアネットワークコントローラ、ソースのネットワークコントローラ、及びソースの無線アクセスネットワークコントローラを経てユーザ装置へ透過的に送信される“RRC Handover Command”メッセージに含ませてもよい。
【００５６】
上述したデータ処理ファンクションは、１つ以上のデータプロセッサエンティティにより与えられてもよい。コンピュータにロードされたときに前記実施形態を実施し、例えば、計算や、サーチ、マッチング及び合成動作を遂行するために、適切に適応されたコンピュータプログラムコード製品が使用されてもよい。オペレーションを与えるプログラムコード製品は、キャリアディスク、カード又はテープのようなキャリア媒体に記憶され、それにより供給されてもよい。データネットワークを経てプログラムコード製品をダウンロードすることもできる。一サーバーの適当なソフトウェアにより実施がなされてもよい。従って、ある用途では、付加的なハードウェアが必要とされないこともある。又、付加的なメモリ及び処理容量が位置サーバーに必要とされることもある。
【００５７】
本発明の実施形態は、移動ステーションのようなユーザ装置に関連して説明したが、他の適当な形式のユーザ装置にも適用できることが明らかであろう。
【００５８】
本発明の範囲から逸脱せずに、本発明の他の実施形態も考えられることが理解されよう。従って、本発明は、ＧＳＭ及びＷＣＤＭＡ以外の移動技術にも適用できることが理解されよう。
【００５９】
又、本発明の実施形態を上述したが、特許請求の範囲に規定された本発明の範囲から逸脱せずに、ここに開示した解決策に対して多数の変更や修正がなされえることに注意されたい。
【図面の簡単な説明】
【００６０】
【図１】本発明を実施できる通信システムを示す図である。
【図２】本発明の実施形態を示すフローチャートである。
【図３】２Ｇの非共有ネットワークから３Ｇの共有ネットワークへのハンドオーバーのシナリオと、それに対応するシグナリングのフローを示す図である。
【図４】非共有３Ｇネットワークから共有３Ｇネットワークへのハンドオーバーのシナリオと、それに対応するシグナリングのフローを示す図である。
【図５】共有３Ｇネットワークから別の共有３Ｇネットワークへのハンドオーバーのシナリオと、それに対応するシグナリングのフローを示す図である。
【図１】
2008516500.tif 000003
【図２】
2008516500.tif 000004
【図３】
2008516500.tif 000005
【図４】
2008516500.tif 000006
【図５】
2008516500.tif 000007
【国際調査報告】
2008516500.tif 000008
2008516500.tif 000009